(57)【要約】      （修正有）【課題】着用者の動きに確実に追従し得ることで、着用者が動き易く、装着感が爽快な衣服の提供。【解決手段】表地１０と裏地１１との全てが編物素材から構成され、表地１０と裏地１１とは同じ編物素材から構成され、表地１０と裏地１１のそれぞれの対向面にコーティング１３が施され、表地１０と裏地１１の間に羽毛１４が充填されている構成の衣服。【選択図】図３
2011006816.tif 000002
【特許請求の範囲】
【請求項１】
全体が互いに所定部分で縫着される表地と裏地とから構成され、前記表地と裏地との全てが編物素材から構成されていることを特徴とする衣服。
【請求項２】
表地と裏地とは同じ編物素材から構成されていることを特徴とする請求項１記載の衣服。
【請求項３】
表地と裏地のそれぞれの対向面にコーティングが施され、表地と裏地の間に羽毛が充填されていることを特徴とする請求項１または請求項２記載の衣服。
【請求項４】
表地はトリコットからなる編物素材であり、裏地は着用者側の面に起毛が施されていないトリコットからなる編物素材とされていることを特徴とする請求項１ないし請求項３の何れかに記載の衣服。
【発明の詳細な説明】
【技術分野】
【０００１】
本発明は、釣行等に着用される衣服に関する。
【背景技術】
【０００２】
釣行等に着用される衣服には表地と裏地との一部を、編物素材から構成して着用者の動きに追従させるようにしたものがある。（例えば、下記特許文献１、特許文献２）
【先行技術文献】
【特許文献】
【０００３】
【特許文献１】特開２００７−１９１８４８号公報
【特許文献２】特開２００９−２２１８９号公報
【発明の概要】
【発明が解決しようとする課題】
【０００４】
しかしながら、上記構成の衣服では、表地と裏地の一部を編物素材から構成しているだけなので、着用者の複雑な動きに追従することがむずかしい場合があり、このような場合では着用者は動きにくく、不快感が生じていた。
【０００５】
そこで本発明は上記課題に鑑み、着用者の動きに確実に追従し得ることで、着用者が動き易く、装着感が爽快な衣服の提供を目的とする。
【課題を解決するための手段】
【０００６】
本発明の衣服は、全体が互いに所定部分で縫着される表地と裏地とから構成され、前記表地と裏地との全てが編物素材から構成されていることを特徴としている。
上記構成の衣服によれば、着用者の動作に確実に追従するよう伸縮するから、着用者は無理なく動作できて、爽快な装着感が得られる。
【０００７】
本発明の衣服では、表地と裏地とは同じ編物素材から構成されていることを特徴としている。
上記構成によれば、表地と裏地の伸縮率が等しくなって、確実に装着者の動作に追従する。
【０００８】
本発明の衣服では、表地と裏地のそれぞれの対向面にコーティングが施され、表地と裏地の間に羽毛が充填されていることを特徴としている。
上記構成によれば、表地と裏地との間の羽毛によって防風性が向上し、しかも表地、裏地とも編物素材から構成されていても、コーティングにより羽毛が衣服の外に出てしまうのが抑えられる。
【０００９】
本発明の衣服では、表地はトリコットからなる編物素材であり、裏地は着用者側の面に起毛が施されていないトリコットからなる編物素材とされていることを特徴としている。
上記構成のように、表地および裏地をトリコットからなる編物素材とすることにより特に伸縮性に優れるから確実に着用者の動作に追従し、しかも裏地に起毛を施していないから、裏地が着用者と摩擦をおこしにくく、着用者の動きを邪魔しにくい。
【発明の効果】
【００１０】
本発明の衣服は、全体が互いに所定部分で縫着される表地と裏地とから構成され、表地と裏地との全てが編物素材から構成されているから、表地、裏地ともに着用者の動作に確実に追従するよう伸縮し、着用者は無理なく動作できて、爽快な装着感が得られる。
【図面の簡単な説明】
【００１１】
【図１】本発明の実施形態を示す衣服の正面側からの斜視図
【図２】同じく背面側からの斜視図
【図３】同じく袖の断面図
【発明を実施するための形態】
【００１２】
以下、本発明の実施形態を、図面に基づいて説明する。本発明の実施形態に係る衣服は、例えば釣用のジャンパーやウインドブレーカーに好適に用いられる。図１は衣服（この場合、上衣）の正面側からの斜視図、図２は背面側からの斜視図、図３は袖の断面図である。
【００１３】
この衣服は、本体１が、スライドファスナ２によって合わせられる左右の前身頃３，４、後身頃５、袖６、襟７、左右の前身頃３，４と後身頃５の間の胴８，９とから構成されている。
これら本体１を構成するパーツは、図３の袖６の断面図に代表して示すように、すべて表地（表生地）１０と裏地（裏生地）１１とから構成されている。本体１は前記パーツ毎に、また表地１０、裏地１１ごとに縫着部１０ａ，１１ａにて縫着され、表地１０と裏地１１との全てが編物素材から構成されている。しかも表地１０と裏地１１とは伸縮率が等しくなるよう、同じ編物素材から構成されている。編物素材としてはできるだけ高密度で編まれていることが好ましい。
【００１４】
具体的には、表地１０および裏地１１はトリコットからなる編物素材である。また、表地１０は表面に起毛が施され、表地１０の表には撥水加工が施されている。なお、裏地１１は着用者１２側の面に起毛が施されていない。
さらに、表地１０と裏地１１のそれぞれの対向面には、ラミネートによるコーティング１３が施され、表地１０と裏地１１の間に羽毛１４が充填されている。
なお、袖６の袖口１５は、ギャザーを形成して径を伸縮できるよう構成されている。
【００１５】
上記構成の衣服は、表地１０の全部および裏地１１の全部が編物素材から構成されているので、着用者１２のあらゆる動きに追従することができ、したがって、着用者１２の動作に邪魔になることがなく、着心地の良好な衣服になる。
特に、表地１０と裏地１１とは伸縮率が等しくなるよう、同じ編物素材から構成されていることで、表地１０と裏地１１ともに同様に着用者１２の動作に追従することになる。
【００１６】
そして、裏地１１には着用者１２側の面に起毛が施されていないので、起毛によるひっかかりが少ないため、着用者１２との摩擦が発生しにくく、表地１０、裏地１１ともに伸縮性が生かされる。
また、表地１０と裏地１１との間の羽毛１４によって、防風性が向上する。しかも表地１０、裏地１１とも編物素材から構成されていても、コーティング１３により羽毛１４が衣服の外に出てしまうのを確実に防止することができ、コーティング１３による防風性も高まる。
【００１７】
また、上記実施形態では衣服として上衣を例に説明した。しかしながら本発明は上衣に限定されるものではなく、例えばズボンにも適用することができる。この場合、ズボンを表地および裏地から構成して、表地および裏地ともに編物素材から形成する。表地および裏地を同じ編物素材から形成して、伸縮率を揃えることが好ましい。他の構成は上記実施形態と同様である。
なお、上記各実施形態において、羽毛１４の代わりに綿を充填することも可能である。また、
【符号の説明】
【００１８】
１…本体、２…スライドファスナ、３，４…前身頃、５…後身頃、６…袖、７…襟、１０…表地、１０ａ…縫着部、１１…裏地、１１ａ…縫着部、１２…着用者、１３…コーティング、１４…羽毛、１５…袖口
【図１】
2011006816.tif 000003
【図２】
2011006816.tif 000004
【図３】
2011006816.tif 000005